(57)【要約】【課題】  画面サイズ４０インチを越えるような質量のある薄型画像表示装置を、ユーザー自身で比較的安全に壁面へ設置が可能となり、ユーザーの利便性の向上と経済負担の低減を目的としている。【解決手段】  薄型表示装置の背面に位置する壁掛け装置にはワイヤーとドラム、それと連動する歯車とチェーン及び着脱式の巻き上げユニットで上昇機構を構成した。  更に薄型表示装置の凸部と壁掛け装置の案内板による位置決め機構、およびねじによる両者締結手段を併用した。  更に歯車と回転方向により係止する爪の組み合わせで薄型表示装置の下降防止機構を設けた。  また、薄型表示装置の背面に位置する壁掛け装置にはチェーンとプーリーで上昇機構を構成した。  更にチェーンと該チェーンが挿入される溝を有する凸部の組み合わせで薄型表示装置の下降防止機構を設けた。【選択図】  図２
2008185708.tif 000002
【特許請求の範囲】
【請求項１】
薄型表示装置を壁面に設置する装置であって、該薄型表示装置を上昇させる手段と該薄型表示装置を下降防止する手段、該薄型表示装置を位置決めする手段及び該薄型表示装置を固定する手段を設けたことを特徴とする薄型表示装置の壁掛け装置。
【請求項２】
前記上昇させる手段は前記薄型表示装置の係止部を備えたワイヤーとドラム、該ドラムに連動する歯車とチェーン、及び該歯車に連動する巻き上げ手段で構成したことを特徴とする、請求項１記載の薄型表示装置の壁掛け装置。
【請求項３】
前記上昇させる手段は前記薄型表示装置の係止部を備えたチェーンとプーリーで構成したことを特徴とする、請求項１記載の薄型表示装置の壁掛け装置。
【請求項４】
前記巻き上げ手段が壁掛け装置に対して着脱可能な構造であることを特徴とする、請求項２記載の薄型表示装置の壁掛け装置。
【請求項５】
前記下降防止する手段は歯車と回転方向により係止する爪により構成されていることを特徴とする、請求項１および２記載の薄型表示装置の壁掛け装置。
【請求項６】
前記下降防止する手段はチェーンと、該チェーンが挿入される溝を有する凸部の組み合わせであることを特徴とする、請求項１および３記載の薄型表示装置の壁掛け装置。
【請求項７】
前記位置決めする手段は薄型表示装置の凸部と、壁掛け装置の案内板の組み合わせであることを特徴とする、請求項１記載の薄型表示装置の壁掛け装置。
【請求項８】
前記固定する手段は、前記上昇する手段とは別な締結手段を併用していることを特徴とする、請求項１および２記載の薄型表示装置の壁掛け装置。
【請求項９】
前記固定する手段は、前記上昇する手段とは別な締結手段を併用していることを特徴とする、請求項１および３記載の薄型表示装置の壁掛け装置。
【請求項１０】
前記薄型表示装置は、液晶パネルやプラズマディスプレイパネル、ＳＥＤ（表面電界放出型ディスプレイ）、有機ＥＬディスプレイを内蔵していることを特徴とする、請求項１から１０記載の薄型表示装置の壁掛け装置。
【発明の詳細な説明】
【技術分野】
【０００１】
薄型画像表示装置などの電子機器を壁面に設置する構造に関わる。
【背景技術】
【０００２】
近年テレビをはじめとする画像表示装置は従来のＣＲＴを利用した機器が、液晶パネルやプラズマディスプレイパネルを利用したものに移り変わってきた。その普及してきた背景は、後者を利用した画像表示装置は画面サイズに影響されずに薄型に構成できるために様々な用途へ利用でき、またユーザーの目的に応じた空間に設置できる、というメリットがあるからである。
【０００３】
では、実際にユーザーが自宅の居間の壁面に上記の薄型の画像表示装置を設置するための装置や作業について調査してみたところ、以下の状況であることがわかった。
【０００４】
１．市場においては、各テレビメーカーから付属品として壁掛けユニット（壁掛け装置に相当）が発売されている。それを購入したユーザーは、まず所望の壁面位置に前記壁掛けユニットをネジなどで固定し、同梱の被係止部材を先に購入済みのテレビ背面にネジ止めする。その後テレビを持ち上げて前記被係止部材を壁掛けユニットの係止部に引っ掛け、脱落防止ネジを取り付けて設置作業が完了する。
【０００５】
２．特許文献においては、例えば特開2001-282131／富士通ゼネラルに「設置用のワイヤー・滑車を備えた天吊金具」が開示されているので、図７を参照しながら説明を加える。
【０００６】
１０１は薄型の画像表示装置であるプラズマディスプレイパネル、１０２は該プラズマディスプレイパネルを天井に設置するための天井吊り下げ装置、１０３は該天井吊り下げ装置の下方に伸びる係止部、１０４は前記プラズマディスプレイパネルの上部に構成された被係止部、１０５は天井吊り下げ装置を構成する定滑車、１０６は同じく天井吊り下げ装置を構成する動滑車、１０７も同じく天井吊り下げ装置を構成するロープ、１０８はプラズマディスプレイパネルを天井吊り下げ装置に吊り下げるための固定部である。
【０００７】
以上の構成において、ユーザーがプラズマディスプレイパネルを天井に設置したい場合は、まず天井吊金具１０２を天井に設置する。次にロープ１０７を調整して動滑車１０６を低い位置に降ろした後、プラズマディスプレイパネル１０１の上部に被係止部１０４と固定部１０８を接続する。ロープ１０７をゆっくりと引くことによりプラズマディスプレイパネル１０１はゆっくりと上昇し、係止部１０３の折り曲げ部を被係止部１０４が乗り越えた位置で両者が略締結状態となる。図では省略するが、両者をネジで固定して設置作業は完了する。
【特許文献１】特開2001-282131号公報
【発明の開示】
【発明が解決しようとする課題】
【０００８】
以上説明したように、市場における壁掛け装置の構造や設置作業においては、次に述べるような問題を有していた。
【０００９】
テレビの質量は画面サイズ４０インチのもので一般的に３０ｋｇ〜４０ｋｇあるため一人で持ち上げることはできず、二人以上の作業者が必要となるし、手を滑らしてテレビを落下させて破損させる失敗も伴う作業である。
【００１０】
また、テレビを新規に購入した場合には、開梱後にそのまま壁掛け設置できない場合、仮に置いておく平面でかつ、テレビに傷を付けない空間が必要であった。
【００１１】
更に、先願特開2001-282131においては、薄型の画像表示装置の設置作業が一人、または二人で簡単にできるが、壁面に設置する方法や構造の提案がなされておらず、特にプラズマディスプレイの上昇時に固定部を中心に回転してしまったり、壁面に固定する手段への応用は困難である。
【００１２】
つまり、液晶パネルやプラズマディスプレイパネルの普及で様々な設置環境が選択できるようになったにも関わらず、ユーザーが壁面への設置を望む場合には、サービスマンや専門業者に依頼せざるを得ず費用負担が問題となるし、作業時に上記機器の破損や傷を付けるといった不安も伴うものであった。
【００１３】
本発明は、画面サイズ４０インチを越えるような質量のある薄型画像表示装置を、少ない作業者、あるいはユーザー自身で比較的安全に壁面へ設置が可能となり、ユーザーの利便性の向上と経済負担の低減を目的としている。
【課題を解決するための手段】
【００１４】
上述した課題を解決するために、本発明の壁掛け装置は、液晶パネルやプラズマディスプレイパネル、及び今後製品化していくＳＥＤ（表面電界放出型ディスプレイ）、有機ＥＬディスプレイなどを内臓した薄型表示装置の背面構造と、吊り上げ機構（上昇機構）を含む壁掛け装置で構成した。薄型表示装置の固定には側面部の雌ねじと背面部の被係止部を引っ掛けるという二つの手段を用いた。また、薄型表示装置の背面部に壁面に対する傷防止を兼ねた位置決めローラーを備えた。一方壁掛け装置側の位置決めは広い開口面を備えた左右対称のガイド板とした。壁掛け装置の吊り上げ機構（上昇機構）はワイヤーと吊り上げドラム、それと連動する上下の連動ドラム（ギアー）とチェーンで構成し、着脱自在で下降防止機構を有する巻き上げユニットで構成した。上記連動ドラムはギア比を設定して作業力の変更が可能である。また、別な形態の壁掛け装置の吊り上げ機構（上昇機構）はチェーンと二つのプーリーのみで構成し、溝構造を利用した単純な下降防止機構を備えた。
【発明の効果】
【００１５】
以上の構成により、
１．壁掛け装置に対して薄型表示装置の位置決め作業の負担が軽減される。
【００１６】
２．設置作業時に薄型表示装置保護や壁面への傷防止効果も有する。
【００１７】
３．所望の高さに薄型表示装置を持ち上げる労力が軽減される。
【００１８】
４．設置作業時に薄型表示装置の落下防止効果も有する。
【００１９】
５．機構部品が薄型表示装置よりはみ出さないため外観性に優れる。
という効果を有する。
【発明を実施するための最良の形態】
【００２０】
（実施例１）
図１は本発明の特徴を表す薄型表示装置を背面側から見た鳥瞰図である。１は本発明の薄型表示装置であり、内部に液晶パネルやプラズマディスプレイパネル、またはＳＥＤ（表面電界放出型ディスプレイ）、有機ＥＬディスプレイなどの薄型画像表示モジュールを内臓し、更に強度部材（図示せず）が左右側面から背面側に渡り配置されている。外装は前面側と背面側に分離可能で、金属板をプレス加工または樹脂材を射出成形にて製造し、組み立てられている。２は該薄型表示装置１の左右側面に設けられた一対の雌ねじ部であり、該薄型表示装置の質量すべてを支える強度を有している。そのため、該雌ねじ部は外装材を貫通して、内部の強度部材（図示せず）に達している。３は該薄型表示装置１の背面側に左右対称に配置したガイドローラーであり、内部の強度部材（図示せず）に締結した支柱の先端に回転可能に円柱形状の樹脂が設けられている。４aは該薄型表示装置１の背面側に左右対称に配置した被係止部であり、剛性が必要なために金属を機械加工して円柱形状に仕上げている。４bは該被係止部４aを支持する支柱部であり、剛性を有する金属円柱形状で、前記薄型表示装置１内部の強度部材（図示せず）に締結されている。
【００２１】
図２は本発明の特徴を表す壁掛け装置を正面側から見た鳥瞰図である。
【００２２】
５は前記薄型表示装置１を壁面に固定するための該壁掛け装置を表しており、以下に説明する構成で成り立っている。５aは鋼板の周辺４辺を後方に折り曲げて剛性を上げたプレス加工で形成したところのベースであり、後述の数々の構成手段を支持して取り付け対象の壁面に密着配置される。５bは該ベース５aにプレス加工で同時に形成された複数の取り付け穴であり、壁面固定用の複数のねじ（図示せず）を該取り付け穴５bを貫通して壁面にねじ込むことにより前記壁掛け装置５が所望の壁面に設置できる。６は中央部に貫通穴を有し、左右対称形状の吊金具であり前記薄型表示装置１を吊り上げるに十分な強度を有するために、肉厚な鋼板をプレス加工または鋳造加工により形成した。７は該吊金具６の左右対称位置に設けられた係止溝であり、略Ｕ字形状を成している。８は前記吊金具６の中央部の貫通穴に締結して吊り上げるための吊り上げワイヤーであり、細い鋼線を縒ったワイヤーを所定の長さに切断加工している。９は該吊り上げワイヤー８の上端部を左右いずれかのフランジ部に締結し、更に中央円筒部に巻き付けるように構成された吊り上げドラムであり、軽量化のためにアルミ材を使用して切削加工により形成した。１０は該吊り上げドラム９の左右端部の軸（図示せず）を回転可能に支持するための吊り上げドラム軸受けであり、前記ベース５aにねじ止めまたはカシメ（図示せず）により形成した。１１は該吊り上げドラム９の右側軸（図示せず）にセットねじ（図示せず）で締結一体化して回転可能な延長軸であり、アルミ材を切削加工して丸棒形状に形成した。１２は該延長軸１１の右端部にセットねじ（図示せず）で締結一体化して回転可能な連動ドラム上であり、アルミ材を使用して切削加工により中央円筒部分に歯車を形成し、更に左右フランジ部を一体的に形成した。１３は連動ドラム上１２の左右端部の軸を回転可能に支持するための連動ドラム上軸受けであり、前記ベース５aにねじ止めまたはカシメ（図示せず）により形成した。１４は前記連動ドラム上１２の中央円筒部分に半周巻きついて歯車に噛み合うようにピッチを揃えたチェーンであり、薄型表示装置１の質量を支持するに十分な引張り強度を有する金属製である。１５は連動ドラム上１２とほぼ同一構造で、アルミ材を使用して切削加工により中央円筒部分に歯車を形成し、更に左右フランジ部を一体的に形成したところの連動ドラム下であり、前記チェーン１４が該歯車に半周巻き付く構造となっている。１６は前記連動ドラム下１５の左右端部の軸を回転可能に支持するための連動ドラム下軸受けであり、前記ベース５aにねじ止めまたはカシメ（図示せず）により形成した。１７は前記連動ドラム下１５の右端部にセットねじ（図示せず）で締結一体化して回転可能な上歯車であり、黄銅材を使用して切削加工により外周に歯車を形成した。１８は前記上歯車１７の回転を止めることができるロック板であり、図示のように該上歯車１７に接した状態では時計回りには回転可能であるが、半時計回りには回転にロックが掛かる構造である。１９は前記連動ドラム下軸受け１６の下部に着脱自在に装着された巻き上げユニットであり、以下に説明する複数の構成部品で構成されている。２０は前記上歯車１７と噛み合う下歯��であり、黄銅材を使用して切削加工により外周に歯車を形成した。２１は前記下歯車２０の両端軸（図示せず）を回転可能に支持しする下歯車軸受けであり、鋼板をコの字型に折り曲げた軸受け部に一方には水平部が設けられていて、前記連動ドラム下軸受け１６に密着する構造である。該水平部の中央付近にはねじが貫通する穴（図示せず）が形成されている。２２は前記下歯車２０の軸（図示せず）にセットビス（図示せず）で一体的に連結している延長軸であり、鋼製の丸棒の両端を旋盤加工して製作している。２３は前記延長軸２２の先端部に圧入して一体化したレバーであり、アルミ板をプレス加工により外形と穴加工を施した。２４は前記レバー２３の端部付近の貫通穴にねじ（図示せず）により軸部を締結された取っ手であり、手で握る球形状の部分は樹脂製で軸部はアルミ製である。２５は巻き上げユニット１９を連動ドラム下軸受け１６に固定するための固定ねじであり、下歯車軸受け２１の水平部の貫通穴を通過して該連動ドラム下軸受け１６の雌ねじ（図示せず）にねじ込まれる。２６は前記ベース５aにねじ止めまたは切り起こしにより形成したところのガイド板右、２７は前記ガイド板右２６に対向する位置に、ねじ止めまたは切り起こしにより対称形状で形成したところのガイド板左である。２８はガイド板左２７の下側に曲げ加工により形成した開口面であり、ガイド板右２６も対称形状に形成されている。２９は前記ガイド板左２７の垂直方向に延びる平面で構成されたガイド面であり、ガイド板右２６も対称形状に形成されている。３０は前記ベース５aの左右端部にねじ止めまたはカシメ（図示せず）により形成したところの固定部であり、対向する左側にも形成されていて、前記薄型表示装置１の質量を支持するのに十分な剛性を有している。３１は該固定部３０の中央付近に設けた貫通穴であり、対向する左側にも形成されている。該貫通穴３１の形状は真円でなく、垂線方向に延びる長穴である。３２は該貫通穴３１を貫通して前記薄型表示装置１の左右側面に設けられた雌ねじ部２にねじ込まれることにより、該前記薄型表示装置１を前記壁掛け装置５に固定するための固定ねじであり、左右にひとつずつ配置される。
【００２３】
次に以上説明した構成において、実際に薄型表示装置１を壁掛け装置５に装着する手順を説明する。
【００２４】
図３は薄型表示装置１と壁掛け装置５の側面から見た図であり、図３(a)から図３(e)まで装着手順を表している。
【００２５】
図３(a)において、３４はダンボール製の箱に発泡材からなる緩衝材で構成された梱包箱であり、その中に収納された薄型表示装置１が垂直姿勢で立っている。一方壁掛け装置の取り付け穴５bを利用して壁面固定用ねじ３３をねじ込み、壁掛け装置５を所望の壁面に取り付ける。次に吊り上げワイヤー８に吊るした吊金具６を引張り、ゆっくりと降ろしていく。該吊金具６の左右対称位置に設けられた係止溝７を、薄型表示装置１の背面に設けた被係止部４aを支持する支柱部４bに下方向より引っ掛ける。
【００２６】
図３(b)において、まず固定ねじ２５を利用して巻き上げユニット１９を連動ドラム下軸受け１６に固定する。これにより巻き上げユニットの下歯車２０と壁掛け装置の上歯車１７とが噛みあって連動して回転可能となる。取っ手２４を握って反時計方向に回転させると、上歯車１７が回転して、それに直結した連動ドラム下１５が回転し、更に該連動ドラム下１５の歯車にかみ合っているチェーン１４が動き始める。外チェーン１４の上端付近では連動ドラム上１２に噛みあっている為該連動ドラム上１２を回転させ、その回転は延長軸１１を経由して吊り上げドラム９を回転させる。該吊り上げドラム９のフランジ部に締結して中央円筒部に巻き付けられた吊り上げワイヤー８が該吊り上げドラム９の回転につれて、上昇を開始する。該吊り上げワイヤー８の下端に取り付けられた吊金具６が薄型表示装置１を上昇させる。
【００２７】
図３(c)及び図３(d)において、巻き上げユニット１９の取っ手２４の回転を継続して上昇を続けた薄型表示装置１は、徐々に壁掛け装置５に重なり合っていく。その時該薄型表示装置１の背面に固定している左右のガイドローラー３の樹脂製回転部は、壁掛け装置５に対向配置されているガイド板右２６およびガイド板左２７の開口面２８に接触し始めることにより、壁掛け装置５に対する薄型表示装置１の左右方向の位置ずれが補正され始める。該開口面２８を過ぎると、左右のガイド面２９間に前記ガイドローラー３が挟まれながら薄型表示装置１は上昇を続ける。
【００２８】
図３(e)において、薄型表示装置１が所望の高さに達した時、左右に配置した雌ねじ部２と壁掛け装置５の貫通穴３１との位置が一致する。ここで上昇動作を停止するために取っ手２４への回転力を抜くと、わずかに下降方向に上歯車１７が回転するが、上昇時には該上歯車１７の歯面を乗り越えていたロック板１８が、この時は歯面にしっかりと食いついて回転を止める。つまり、取っ手２４から手を離しても下降動作になることはない。また貫通穴３１が長穴であるため、前記の下降動作によって雌ねじ部２は前記貫通穴３１に重なったままである。固定ねじ３２を左右側面方向から貫通穴３１に挿入し、雌ねじ部２にねじ込んでしっかりと締め付けることで薄型表示装置１が壁掛け装置５へ固定が完了した。この後固定ねじ２５を緩めて外し、巻き上げユニット１９を壁掛け装置５から外して装着作業が終了する。尚、薄型表示装置１を上昇させ過ぎた場合には、取っ手２４に巻き上げ方向の力を加えたまま、ロック板１８を指で上歯車１７から離した後、ゆっくりと取っ手２４を逆転して薄型表示装置１を下降させ、所望の高さで再びロック板１８を上歯車１７に当接させて下降動作を停止すればよい。
【００２９】
次に本壁掛け装置の特徴について説明を加える。従来の壁掛け装置の構造と大きく異なる点は六つある。
【００３０】
ひとつ目は薄型表示装置１の支持構造である。確実に壁掛け装置５に固定する雌ねじ２を備えるだけでなく、吊り上げワイヤー８に接続した吊金具６を引っ掛けるための支柱部４bを有している。これが地震対策となるのは言うまでも無い。
【００３１】
二つ目は薄型表示装置１の背面に備えたガイドローラー３が壁面への傷防止のみならず、薄型表示装置１を保護する役目も果たしている。更にガイドローラー３は壁掛け装置５に対する左右方向の位置決めを兼ねているため、装着時の位置決め作業が無くなっている。
【００３２】
三つ目は壁掛け装置５の位置決め構造である。ガイド板右２６と対向するガイド板左２７の間に薄型表示装置１のガイドローラー３を通過させることにより、薄型表示装置１の左右方向の位置を決められる。開口面２８の効果により、上昇動作時の薄型表示装置１が左右に位置がずれていても修正される。
【００３３】
四つ目は壁掛け装置５の吊り上げる機構である。薄型表示装置１を吊り上げるワイヤー８は壁掛け装置５の上方に位置する吊り上げドラム９に巻き付けられるため、巻き上げユニット１９は該吊り上げドラム９に連動する軸の延長線上に配置することが構造的に単純であるが、壁掛け装置５の設置高さを考慮すると該壁掛け装置５の下方で巻き上げ操作を行うことが望ましい。そのため、本発明では前記吊り上げドラム９に連動する延長軸１１で回転機構を壁掛け装置５の側面付近に延長し、更に、連動ドラム上１２と連動ドラム下１５をチェーン１４で連動させる構造とした。つまり、壁掛け装置５の上で、作用する機構位置と操作する機構位置を引き離すことで、操作性の良い吊り上げ機構を提供した。
【００３４】
五つ目は扱いやすい壁掛け操作の実現である。巻き上げユニット１９を着脱式にすることにより、薄型表示装置１設置後の見た目をすっきりすると共に、上歯車１７に食いついて下降を防止するロック板１８により、巻き上げ操作の途中で取っ手２４から手をしても薄型表示装置１が落下する心配が無い。
【００３５】
六つ目は薄型表示装置１の質量に対する取っ手２４の操作力の低減機構である。レバー２３の長さを伸ばす方法のみでは壁面への干渉問題が発生するため、上歯車１７とした歯車２０のギア比、または連動ドラム上１２と連動ドラム下１５のギア比を最適に設定することで操作性が向上できる。
【００３６】
以上説明したように、薄型表示装置を壁面に固定する際に本発明の薄型表示装置の壁掛け構造と壁掛け装置を利用すれば、
１．薄型表示装置と壁掛け装置の締結が固定ねじと吊り上げ機構の併用であり地震などの緊急時に有効である。
【００３７】
２．薄型表示装置のガイドローラーにより、薄型表示装置の破損や設置作業で壁面を汚したり傷を付ける心配が無い。
【００３８】
３．薄型表示装置のガイドローラーと壁掛け装置のガイド板の組み合わせで、薄型表示装置の位置決め作業の負担が軽減される。
【００３９】
４．壁掛け装置の吊り上げ作用する機構部に対して操作する機構部を引き離すことで、操作性の良い吊り上げ機構を提供した。
【００４０】
５．巻き上げ操作のユニットを着脱式にすることで、薄型表示装置設置後の見た目をすっきりした。
【００４１】
６．上歯車に食いついて下降を防止するロック板により、巻上げ操作を任意に停止できるので作業性に優れる。
【００４２】
７．機構を構成する歯車のギア比の設定で、質量ある薄型表示装置を軽い操作力で吊り上げが可能となる。
以上７つの効果が得られる。
【００４３】
尚、本発明では壁面に固定する対象物に薄型表示装置を例として上げたがそれに限定されることではなく、例えば壁面に設置する空調機器、家具、看板、その他造形物に応用可能である。
【００４４】
（実施例２）
図４は第二の本発明の特徴を表す壁掛け装置の平面図であり、図５は同じく第二の本発明の特徴を表す壁掛け装置が薄型表示装置を設置する工程途中を表す側面図、更に図６は壁掛け装置の要部拡大図である。尚、実施例１と同一部品は同一番号を付記または省略して示している。
【００４５】
３４は薄型表示装置１を壁面に固定するための第二の本発明の壁掛け装置を表しており、以下に説明の構成で成り立っている。３５は鋼板の周辺４辺を後方に折り曲げて剛性を上げたプレス加工で形成したところのベースであり、後述の数々の構成手段を支持して取り付け対象の壁面に密着配置される。３６は前記吊金具６の中央部の貫通穴に締結して吊り上げるための吊り上げチェーンであり、鋼線チェーンを所定の長さに切断加工して使用している。３７は該吊り上げチェーン３６の吊り上げ方向を約９０度曲げるために用いた第一の吊り上げプーリーであり、吊り上げチェーン３６が円滑に動くために回転可能な円筒形状で、更に脱落防止のフランジ形状を有している。軽量化のためにアルミ材を使用して切削加工により形成した。３８は前記第一の吊り上げプーリー３７の回転軸（図示せず）を支持する第一の吊り上げプーリー支持部であり、背面部はベース３５に密着してねじ（図示せず）またはカシメにより固定されている。３９は前記吊り上げチェーン３６の吊り上げ方向を水平から下方へ約９０度曲げるために用いた第二の吊り上げプーリーであり、吊り上げチェーン３６が円滑に動くために回転可能な円筒形状で、更に脱落防止のフランジ形状を有している。軽量化のためにアルミ材を使用して切削加工により形成した。４０は前記第二の吊り上げプーリー３９の回転軸（図示せず）を支持する第二の吊り上げプーリー支持部であり、背面部はベース３５に密着してねじ（図示せず）またはカシメにより固定されている。４１は壁掛け装置３４の右下付近に構成された、前記吊り上げチェーン３６を係止するためのチェーン係止部であり、アルミ材をフライス加工、またはダイキャスト加工により所望の形状に仕上げた。４１aは吊り上げチェーン３６を収納する構造である、該チェーン係止部４１の溝部であり、フライスによる切削またはダイキャストにより一体的に形成される。４１bは前記溝部４１aの両側面に対向配置した凸部であり、前記溝部４１aの中心を通る架空平面を基準に対象形状に形成されている。４１cは前記凸部４１bに形成された２ヶ所の係止部であり、対向する係止部４１c同士の空隙、つまり溝幅４１d幅は吊り上げチェーン３６の板厚み程度に狭くなっている。４２は前記該チェーン係止部４１を支持する係止部支持部であり、背面部はベース３５に密着してねじ（図示せず）またはカシメにより固定されている。
【００４６】
以上で壁掛け装置３４の構成の説明を終わり、薄型表示装置１の壁掛け装置３４への装着方法を説明する。
【００４７】
吊金具６を薄型表示装置１の被係止部４aに引っ掛けた後、吊り上げチェーン３６の操作側付近、ちょうど前記チェーン係止部４１の下方を握って溝部４１aより該吊り上げチェーン３６を引き離して係止を解除する。その状態で該チェーン係止部４１に触れないように下方向へ吊り上げチェーン３６を下げていくと、薄型表示装置１がゆっくりと上昇を始める。上昇動作を途中で停止する場合は、前記吊り上げチェーン３６を前記チェーン係止部４１に近づけて溝部４１aに挿入し、係止部４１cに吊り上げチェーン３６を引っ掛ければよい。説明を戻して、上昇する薄型表示装置１は壁掛け装置３４のガイド板右２６およびガイド板左２７により位置決めされた後、該薄型表示装置１の左右側面に設けられた一対の雌ねじ部２と壁掛け装置３４の貫通穴３１が一致したところで、前記チェーン係止部４１を利用して前記吊り上げチェーン３６を係止して、薄型表示装置１の上昇動作を停止する。この後固定ねじ３２を前記貫通穴３１に貫通させて前記雌ねじ部２にねじ込ませて締め付ける。以上で薄型表示装置１の装着が完了する。
【００４８】
次に本壁掛け装置の特徴について説明を加える。従来の壁掛け装置の構造と大きく異なる点は六つある。
【００４９】
ひとつ目は薄型表示装置１の支持構造である。確実に壁掛け装置５に固定する雌ねじ２を備えるだけでなく、吊り上げチェーン３６に接続した吊金具６を引っ掛けるための支柱部４bを有している。これが地震対策となるのは言うまでも無い。
【００５０】
二つ目は薄型表示装置１の背面に備えたガイドローラー３が壁面への傷防止のみならず、薄型表示装置１を保護する役目も果たしている。更にガイドローラー３は壁掛け装置３４に対する左右方向の位置決めを兼ねているため、装着時の位置決め作業が無くなっている。
【００５１】
三つ目は壁掛け装置３４の位置決め構造である。ガイド板右２６と対向するガイド板左２７の間に薄型表示装置１のガイドローラー３を通過させることにより、薄型表示装置１の左右方向の位置を決められる。開口面の効果により、上昇動作時の薄型表示装置１が左右に位置がずれていても修正される。
【００５２】
四つ目は壁掛け装置３４の吊り上げる機構である。薄型表示装置１を吊り上げる吊り上げチェーン３６は、壁掛け装置３４の上方に位置する第一の吊り上げプーリー３７に巻きつくが、その位置で上昇操作を行うことは薄型表示装置１と干渉するために難しい。そこで第二の吊り上げプーリー３９を配置して該吊り上げチェーン３６を壁掛け装置３４の側面付近に延長し、更に作業者が力を入れ易いように該第二の吊り上げプーリー３９に巻きついた吊り上げチェーン３６は下方向に垂れている。以上のように二つのプーリーで操作性の良い吊り上げ機構を提供した。
【００５３】
五つ目は扱いやすい壁掛け操作の実現である。
【００５４】
壁掛け装置３４の下方、ちょうど前記第二の吊り上げプーリー３９の直下にチェーン係止部４１を配置した。該チェーン係止部４１の溝部４１aに前記吊り上げチェーン３６を挿入して係止部４１cに引っ掛けることより、吊り上げ操作の途中で吊り上げチェーンから手をしても薄型表示装置１が落下する心配が無い。
【００５５】
以上説明したように、薄型表示装置を壁面に固定する際に本発明の薄型表示装置の壁掛け構造と壁掛け装置を利用すれば、
１．薄型表示装置と壁掛け装置の締結が固定ねじと吊り上げ機構の併用であり地震などの緊急時に有効である。
【００５６】
２．薄型表示装置のガイドローラーにより、薄型表示装置の破損や設置作業で壁面を汚したり傷を付ける心配が無い。
【００５７】
３．薄型表示装置のガイドローラーと壁掛け装置のガイド板の組み合わせで、薄型表示装置の位置決め作業の負担が軽減される。
【００５８】
４．壁掛け装置のほぼ中心位置で薄型表示装置を吊り上げるが、引張り作業する機構部を側面の下方付近に引き離すことで、操作性の良い吊り上げ機構を提供した。
【００５９】
５．１本の吊り上げチェーン、２個のプーリー及びチェーン係止部のみで機構を構成したので、薄型表示装置設置後の見た目がすっきりした。
【００６０】
６．チェーン係止部の溝に吊り上げチェーンを引っ掛けるだけの簡単な構造であるが、吊り上げ操作を任意に停止できるので作業性に優れる。
以上６つの効果が得られる。
【００６１】
尚、本発明では壁面に固定する対象物に薄型表示装置を例として上げたがそれに限定されることではなく、例えば壁面に設置する空調機器、家具、看板、その他造形物に応用可能である。
【図面の簡単な説明】
【００６２】
【図１】第一の本発明の特徴を表す薄型表示装置を背面側から見た鳥瞰図
【図２】第一の本発明の特徴を表す壁掛け装置を正面側から見た鳥瞰図
【図３】（a）から（e）第一の薄型表示装置と壁掛け装置の側面図（装着手順）
【図４】第二の本発明の特徴を表す壁掛け装置の平面図
【図５】第二の本発明の薄型表示装置を設置する工程を表す側面図
【図６】第二の本発明の壁掛け装置の要部拡大図
【図７】先願の天井吊装置を表す側面図
【符号の説明】
【００６３】
１  本発明の薄型表示装置
２  雌ねじ部
３  ガイドローラー
４a  被係止部
４b  支柱部
５  壁掛け装置
５a  ベース
５b  取り付け穴
６  吊金具
７  係止溝
８  吊り上げワイヤー
９  吊り上げドラム
１０  吊り上げドラム軸受け
１１  延長軸
１２  連動ドラム上
１３  連動ドラム上軸受け
１４  チェーン
１５  連動ドラム下
１６  連動ドラム下軸受け
１７  上歯車
１８  ロック板
１９  巻き上げユニット
２０  下歯車
２１  下歯車軸受け
２２  延長軸
２３  レバー
２４  取っ手
２５  固定ねじ
２６  ガイド板右
２７  ガイド板左
２８  開口面
２９  ガイド面
３０  固定部
３１  貫通穴
３２  固定ねじ
３３  壁面固定用ねじ
３４  壁掛け装置
３５  ベース
３６  吊り上げチェーン
３７  第一の吊り上げプーリー
３８  第一の吊り上げプーリー支持部
３９  第二の吊り上げプーリー
４０  第二の吊り上げプーリー支持部
４１  チェーン係止部
４１a  溝部
４１b  凸部
４１c  係止部
４１d  溝幅
４２  係止部支持部
【図１】
2008185708.tif 000003
【図２】
2008185708.tif 000004
【図３】
2008185708.tif 000005
【図４】
2008185708.tif 000006
【図５】
2008185708.tif 000007
【図６】
2008185708.tif 000008
【図７】
2008185708.tif 000009